(57)【要約】【課題】  外部からの電源を必要とせず、光量を検出するためのセンサーが不必要で透過光量を自律的に調整でき、かつ遮光性能が高く長寿命な透過光自動調光セルを提供することである。【解決手段】  光の入射により発電する光透過性の光発電素子１３と、印加された電気エネルギーに比例して光の透過率が下がる光透過性のエレクトロクロミック素子１４との間に、エレクトロクロミック素子１４の光の透過率に反比例して光の反射率が上がる光透過性の被膜２０を設ける。光発電素子１２とエレクトロクロミック素子１４とは光透過性の電気配線部材１９で電気的に接続する。【選択図】  図１
2006243485.tif 000002
【特許請求の範囲】
【請求項１】
光の入射により発電する光透過性の光発電素子と、印加された電気エネルギーに比例して光の透過率が下がる光透過性のエレクトロクロミック素子と、前記光発電素子と前記エレクトロクロミック素子との間に設けられ前記エレクトロクロミック素子の光の透過率に反比例して光の反射率が上がる光透過性の被膜と、前記光発電素子と前記エレクトロクロミック素子とを電気的に接続する光透過性の電気配線部材とを備えたことを特徴とする透過光自動調光セル。
【請求項２】
光の入射により発電する光透過性の光発電素子と、印加された電気エネルギーに比例して光の透過率が上がり通過する光に対して偏光作用を有する光透過性の液晶素子と、前記光発電素子と前記液晶素子との間に設けられ前記液晶素子の電気エネルギーが印加された状態で偏光方向が前記液晶素子の偏光方向と同位相となる偏光部材と、前記光発電素子と前記エレクトロクロミック素子とを電気的に接続する光透過性の電気配線部材とを備えたことを特徴とする透過光自動調光セル。
【請求項３】
光の入射により発電する光透過性の光発電素子と、印加された電気エネルギーに応じて光の反射率が変化する光透過性のエレクトロクロミックミラー素子と、前記光発電素子と前記エレクトロクロミックミラー素子との共通の陰極を形成する光透過型導電部材とを備えたことを特徴とする透過光自動調光セル。
【請求項４】
前記光透過性の被膜は、銀、錫、水銀などの単一金属、またはその他の金属を含む合金を蒸着またはメッキ処理をしたもの、または、光反射性を有する樹脂などの有機材料を塗布したものであることを特徴とする請求項１記載の透過光自動調光セル。
【請求項５】
前記光発電素子は、薄型アモルファスシリコン光発電素子または色素増感型光発電素子で構成されることを特徴とする請求項１ないし３のいずれか一記載の透過光自動調光セル。
【請求項６】
前記電気配線部材は、塩化インジウム、酸化インジウム、酸化錫などの導電性と光透過性とを有する電気配線部材であり、光透過性のエレクトロクロミック素子または液晶素子に光透過性の光発電素子の発電電力が適正に供給できるように、その配線長と配線幅を調整して取り付けられることを特徴とする請求項１または２記載の透過光自動調光セル。
【請求項７】
透明材料基材上に前記請求項１ないし６のいずれか一の複数個の透過光自動調光セルを密接して配列配置したことを特徴とする透過光自動調光部材。
【発明の詳細な説明】
【技術分野】
【０００１】
本発明は、光透過性の光発電素子と、電気エネルギーによって光の透過率が変化する液晶素子またはエレクトロクロミック素子を接合して形成した光透過率自動調光素子を集積して成る透過光自動調光セル及び部材に関するものである。
【背景技術】
【０００２】
フォトクロミック材料やサーモクロミック材料を利用して光の透過量を変化させる調光部材は液晶素子やエレクトロクロミック素子を利用した調光部材に比較して、電源を必要としないなどの優位な点が存在するが、光の変化に対する応答性が遅い欠点があり、かつ、目的とした光透過量を任意に設定できないなどの欠点もある。また、液晶素子やエレクトロクロミック素子を調光部材として使用する場合は、外部よりそれぞれの素子に電源を供給する必要があり、かつ、透過光量を制御するために、電流や電圧を制御するための制御装置が必要である。
【０００３】
発電素子と液晶素子を組み合わせて自立的な光透過量調整を可能としたものがある（例えば、特許文献１参照）。
【０００４】
液晶パネルに対して偏光板を介して太陽電池パネルを組み合わせて、太陽光線の透過量を制御するようにしたものがある（例えば、特許文献２参照）。
【０００５】
ＩＴＯ（透明電極層材料）からなる薄膜基板、透明な光電力素子、透明伝導性電極、エレクトロクロミック薄膜基板と透明電解質からなる調光素子、ＩＴＯ被膜を順に積層するとともに、その両端のＩＴＯ電極の端部を配線により電気的に接続する自己電力供給型調光素子がある（例えば、特許文献３参照）。
【０００６】
さらに、薄膜太陽電池とエレクトロクロミック素子とを用いて光の当たったときに透過率を低下させ、自律的透過光を調整するようにした調光装置がある（例えば、特許文献４参照）。
【特許文献１】特開２００１−１８３６１６号公報
【特許文献２】特開平８−２４８３７６号公報
【特許文献３】特開２００１−１３３８１４号公報
【特許文献４】特開９−２４４０７２号公報
【発明の開示】
【発明が解決しようとする課題】
【０００７】
しかし、特許文献１のものでは、透過を抑制した太陽光線のエネルギーが液晶素子に吸収され、液晶素子の温度が上昇する。そのため、組み合わせられた発電素子、例えば、色素増感型太陽電池素子を用いた場合は、太陽電池素子の温度も上昇する。色素増感型太陽電池素子は素子温度が上昇すると発電電力量が増加する特性があり、結果として液晶素子の光透過量がさらに抑制され、液晶素子に吸収される太陽光線のエネルギーが増加し、さらに温度が上昇する。このため、光の透過量はサーモクロミック材料と同じように、温度異存が大きくなるため、光量変化に対する応答性が悪化する。さらに、液晶部材は高温条件で使用すると目覚しく寿命が短くなる特性があり、以上のような構成では光量に対する自動調光の応答性が悪く、かつ寿命の短い自動調光部材しか提供できない。
【０００８】
さらに、色素増感型太陽電池素子は発電効率が低く、液晶素子などのデバイスを駆動するための十分な電力を得るためには、駆動する液晶素子よりも大きな面積の太陽電池素子の素子面積が必要であり、駆動する液晶素子と同等の面積で発電した電力で液晶素子を駆動した場合は十分な遮光性能が得られない。
【０００９】
このように光の透過量を自律的に調節し、所望の光透過量を得ようとする調光部材においては、応答性が悪かったり、目的とする光透過量を適正に制御することが難しく、かつ、短寿命であるなどの問題点がある。
【００１０】
また、特許文献２のものでは、太陽光線の透過量を制御する制御回路が必要となり、遮断した太陽光線はデバイスで熱に変換されるため、デバイスの温度が上昇してしまうという問題がある。特許文献３のものでは、太陽光線の透過量を制御する制御回路は不要となるが、遮断した光線はデバイスで熱に変換されるため、デバイスの温度が上昇するという問題がある。同様に、特許文献４のものでは、遮断した太陽光線はデバイスで熱に変換されるため、デバイスの温度が上がってしまうという問題がある。
【００１１】
本発明の目的は、外部からの電源を必要とせず、光量を検出するためのセンサーが不必要で透過光量を自律的に調整でき、かつ遮光性能が高く長寿命な透過光自動調光セル及び部材を提供することである。
【課題を解決するための手段】
【００１２】
本発明の透過光自動調光セルは、光の入射により発電する光透過性の光発電素子と、印加された電気エネルギーに比例して光の透過率が下がる光透過性のエレクトロクロミック素子と、前記光発電素子と前記エレクトロクロミック素子との間に設けられ前記エレクトロクロミック素子の光の透過率に反比例して光の反射率が上がる光透過性の被膜と、前記光発電素子と前記エレクトロクロミック素子とを電気的に接続する光透過性の電気配線部材とを備えたことを特徴とする。
【００１３】
また、本発明の透過光自動調光セルは、光の入射により発電する光透過性の光発電素子と、印加された電気エネルギーに比例して光の透過率が上がり通過する光に対して偏光作用を有する光透過性の液晶素子と、前記光発電素子と前記液晶素子との間に設けられ前記液晶素子の電気エネルギーが印加された状態で偏光方向が前記液晶素子の偏光方向と同位相となる偏光部材と、前記光発電素子と前記エレクトロクロミック素子とを電気的に接続する光透過性の電気配線部材とを備えたことを特徴とする。
【００１４】
さらにまた、本発明の透過光自動調光セルは、光の入射により発電する光透過性の光発電素子と、印加された電気エネルギーに応じて光の反射率が変化する光透過性のエレクトロクロミックミラー素子と、前記光発電素子と前記エレクトロクロミックミラー素子との共通の陰極を形成する光透過型導電部材とを備えたことを特徴とする。
【００１５】
本発明の透過光自動調光部材は、透明材料基材上に本発明の複数個の自動調光部材を密接して配列配置したことを特徴とする。
【発明の効果】
【００１６】
本発明によれば、透過光量をエレクトロクロミック素子の光の透過率及び光透過性の被膜の反射率によって透過光量を調整するので、調光部材の温度上昇が抑制できる。また、光透過性の被膜の反射光を光発電素子で再利用できるので、発電効率が悪い光発電素子を用いても効率の良い透過光自動調光セルを構成できる。
【００１７】
さらに、光透過性の被膜（ハーフミラー）の代わりに偏光部材及び偏光作用を有する液晶素子を用いることで光が照射されると透明になる自動調光セルや、光線の通過方向によって、透過率を変化させることのできる自動調光セルを提供できる。
【００１８】
さらに、光発電素子と液晶材料またはエレクトロクロミック材料を用いて構成した閉回路型の自動調光セルを格子状に形成した透過光自動調光部材（例えば、板ガラス）では部分的に光透過量を調整できる板ガラス（透過光自動調光部材）を供給でき、かつ、切断使用も可能な板ガラス（透過光自動調光部材）を提供できる。
【発明を実施するための最良の形態】
【００１９】
（第１の実施の形態）
図１は本発明の第１の実施の形態に係わる透過光自動調光セルの概略構造を示す断面図である。透過光自動調光セル１１は、透明材料基材１２−１、１２−２の間に光透過性の光発電素子１３と光透過性の被膜２０と光透過性のエレクトロクロミック素子１４とを積層配置して形成される。光発電素子１３は、例えば薄膜アモルファスシリコン太陽電池や色素増感型太陽電池などで構成される。図１では色素増感型光発電素子である場合を示している。また、エレクトロクロミック素子１４は、光透過性の液晶素子または酸化タングステンなどを用いて形成される。
【００２０】
色素増感型の光発電素子１３は、電解質溶液１５と陽電極１６ａと陰電極１６ｂとから構成され、光の入射により電解質溶液１５で遊離した電子は、陽電極１６ａと陰電極１６ｂとを通じで光発電素子１３の外部へ伝えられ、電気エネルギーとして使用される。
【００２１】
エレクトロクロミック素子１４は、電解質１７と陽電極１８ａと陰電極１８ｂとから構成される。電解質１７は、酸化タングステンなどのエレクトロクロミック材料を含む電解質であり、陽電極１８ａと陰電極１８ｂによってエレクトロクロミック材料に電圧を印加する構造である。
【００２２】
光発電素子１３の陽電極１６ａは電気配線部材１９ａでエレクトロクロミック電解質１７の陽電極１８ａと電気的に結合され、光発電素子１３の陰電極１６ｂは電気配線部材１９ｂで陰電極１８ｂと電気的に結合されている。電気配線部材１９ａ、１９ｂは、酸化インジウム、塩化インジウム、酸化錫などの光透過型導電材料で形成される。これにより、光発電素子１３の電解質溶液１５で発電された電気エネルギーはエレクトロクロミック素子１４の電解質１７へ印加することができる。
【００２３】
また、光発電素子１３とエレクトロクロミック素子１４との間には、光透過性の被膜２０（以下、ハーフミラー２０という）が設けられている。ハーフミラー２０は、銀や錫などの金属薄膜で構成され光の反射と透過の両方の性質を持ち、エレクトロクロミック素子１４の光の透過率に反比例して光の反射率が上がる光透過性の被膜である。ハーフミラー２０は、エレクトロクロミック素子１４の接合面に形成される。
【００２４】
このように、光発電素子１３とエレクトロクロミック素子１４とは、ハーフミラー２０を挟み込む構造で配置されている。さらに、光発電素子１３とエレクトロクロミック素子１４とハーフミラー２０はガラスなどの透明材料基材１２で固定され封止されている。
【００２５】
このような構成を持つ透過光自動調光セル１１において、光発電素子１３を配置した方向から太陽光などの光が入射すると、その入射光の強度に応じて光発電素子１３が電気エネルギーを発電する。発電した電気エネルギーの量は入射光の強度に比例するため、入射光の強度が強いほど発電電力量も大きくなる。光発電素子１３で発電された電気エネルギーは、光透過型導電材料である電気配線部材１９ａ、１９ｂを通じてエレクトロクロミック素子１４に印加される。
【００２６】
エレクトロクロミック素子１４は印加された電気エネルギー量に比例して光の透過率が下がる。すなわち、光発電素子１３に強い光が照射されると光の透過率が下がり、弱い光が照射されると光の透過率が上がる。一方、ハーフミラー２０はエレクトロクロミック素子１４の光の透過率に反比例して光の反射率が上がる。すなわち、エレクトロクロミック素子１４の光の透過率が下がれば、ハーフミラー２０の光の反射率が上がり、エレクトロクロミック素子１４の光の透過率に上がれば、ハーフミラー２０の光の反射率は下がる。
【００２７】
図２は、透過光自動調光セル１１への照射光の強度変化に対する光の透過率の変化と透過光量の変化とを示す特性図である。光発電素子１３に強い光が照射されるとエレクトロクロミック素子１４とハーフミラー２０との作用により光の反射率が上がり、光の透過率が下がって、一定量の光が透過することになる。また、弱い光が照射されると光の透過率が上がって、同様に一定量の光が透過することになり、照射される光の強度に対して自律的に光の透過量が変化し、透過光を一定に保つように動作する。
【００２８】
前述したように、電気配線部材１９ａ、１９ｂは、塩化インジウム、酸化インジウム、酸化錫などの導電性と光透過性とを有する電気配線部材で形成されるが、電気配線部材１９ａ、１９ｂは、光透過性のエレクトロクロミック素子１４に光透過性の光発電素子１３の発電電力が適正に供給できるように、その配線長と配線幅を調整して取り付けられる。
【００２９】
すなわち、光透過性の電気配線部材１９ａ、１９ｂの配線は、光発電素子１３から発生した電気エネルギーをエレクトロクロミック素子１４に供給する場合、光発電素子１３の発電電圧とエレクトロクロミック素子１４の定格駆動電圧を整合させるために光透過性の電気配線部材１９ａ、１９ｂの配線長と配線幅とを変化させて、配線の電気抵抗を変化させ調整することで光発電素子１２の発電電圧や電流をエレクトロクロミック素子１４の定格駆動電圧値や電流値を整合させる。
第１の実施の形態によれば、透過光量をエレクトロクロミック素子１４の光の透過率及びハーフミラー２０の反射率によって透過光量を調整するので、調光部材の温度上昇が抑制できる。また、ハーフミラー２０の反射光を光発電素子１３で再利用できるので、発電効率が悪い光発電素子を用いても効率の良い透過光自動調光セルを提供できる。
【００３０】
（第２の実施の形態）
図３は本発明の第２の実施の形態に係わる透過光自動調光セルの概略構造を示す断面図である。透過光自動調光セル１１は、透明材料基材１２−１、１２−２の間に光透過性の光発電素子１３と偏光部材２２と光透過性の液晶素子２１とを配置して形成される。図１に示した第１の実施の形態と同一要素には同一符号を付し重複する説明は省略する。
【００３１】
この第２の実施の形態における透過光自動調光セル１１は、正面及び背面の２つの平面の一方面に照射する光線のみを選択的に透過させ、他方の平面に照射する光線は透過を阻害する特性を持つ透過光自動調光セルである。
【００３２】
光発電素子１３は、例えば薄膜アモルファスシリコン太陽電池や色素増感型太陽電池などで構成される。図３では色素増感型光発電素子である場合を示している。また、液晶素子２１は、印加された電気エネルギーに比例して光の透過率が上がり通過する光に対して偏光作用を有する。すなわち、液晶素子２１の液晶材料２３は、通過する光に対して偏光作用を持つツイストネマチック型液晶（ＴＮ型液晶）やスーパーツイストネマチック型液晶（ＳＴＮ型液晶）などが用いられる。
【００３３】
また、光発電素子１３と液晶素子２１との間には偏光ガラスなどの偏光部材２２があり、透過光自動調光セル１１を通過する光線を偏光する作用を持つ。偏光部材２２と液晶素子２１との偏光方向は、液晶素子２１に電気エネルギーが印加された状態で偏光方向が同位相となるようにしておく。すなわち、光の透過率が上がるように配置されている。このことから、液晶素子２１に電気エネルギーが印加されない状態では光の透過率は下がり光の透過量も下がる。
【００３４】
このように構成された透過光自動調光セル１１は、光発電素子１３の方向から太陽光などの光線が入射した場合は、太陽光により光発電素子１３が発電し、その電気エネルギーが光透過型導電材料である電気配線部材１９ａ、１９ｂを通じで液晶素子２１に印加される。このため、液晶材料２３が荷電によって動作するので、偏光部材２２との偏光方向が一致するため光の透過率が上がり太陽光を透過させる。
【００３５】
従って、窓ガラスなどに第２の実施の形態における透過光自動調光セル１１を用いた場合は、昼間のように太陽光が窓ガラスに照射する場合は太陽光を室内に透過させる作用をもつ。また、夜間の場合は太陽光の照射が無いので、光発電素子１３による発電は行われず、液晶材料２３への荷電も無いので偏光部材２２と液晶素子２１によって光の透過率が低くなる。このとき、例えば室内で電灯などが点灯し、光線が透過光自動調光セルに照射されても、偏光部材２２と液晶素子２１によって光の透過が妨げられるため、光発電素子１３に光線が当たらず、発電はされないため、光の透過率が上がることがない。
【００３６】
第２の実施の形態によれば、光線の照射する方向により、選択的に光線を透過する透過光自動調光セルを提供できる。
【００３７】
（第３の実施の形態）
図４は本発明の第３の実施の形態に係わる透過光自動調光セルの概略構造を示す断面図である。この第３の実施の形態における透過光自動調光セル１１は、図１に示した第１の実施の形態に対し、光の反射を実現するハーフミラー２０に代えて、電気エネルギーによって光の反射率を変更できるエレクトロクロミックミラー素子２４を使用することで、ハーフミラー２０を不必要とする構成とし、簡易な構造の透過光自動調光セルとしたものである。図１に示した第１の実施の形態と同一要素には同一符号を付し重複する説明は省略する。
【００３８】
透過光自動調光セル１１は、透明材料基材１２−１、１２−２の間に光透過性の光発電素子１３とエレクトロクロミックミラー素子２４とを積層配置し、しかも光発電素子１３とエレクトロクロミックミラー素子２４との間に両者に共通の陰極を形成する光透過型導電部材２５を介挿するように形成されている。エレクトロクロミックミラー素子２４は、印加された電気エネルギーに応じて光の反射率が変化する光透過性を有した素子である。
【００３９】
陽電極１６ａは、光透過型導電材料である電気配線部材１９でエレクトロクロミックミラー素子２４の陽電極１８ａと電気的に接続されている。また、エレクトロクロミックミラー素子２４の電解液２６は、電気エネルギーの印加によって反射率が変化する特性を持つ。
【００４０】
光透過型導電部材２５は、光発電素子１３の電解質溶液１５とエレクトロクロミックミラー素子２４の電解液２６に挟まれており、電解質溶液１５と電解液２６との分離を行ない、かつ、それぞれの光発電素子１３とエレクトロクロミックミラー素子２４との共通の陰電極を構成している。このような構成を用いることで、それぞれの光発電素子１３とエレクトロクロミックミラー素子２４との陰電極間を結ぶ電気配線部材が不必要になる。
【００４１】
第３の実施の形態によれば、より簡易な構造で、第１の実施の形態と同様の効果が得られる。さらに、エレクトロクロミックミラー素子２４で反射された光線が、再度、光発電素子１３を通過し発電効果を得ることができる。すなわち、光発電素子１３の発電効率が低くても、反射した光線を発電に再利用することによってエレクトロクロミックミラー素子２４を駆動するために十分な電気エネルギーを得ることができる。
【００４２】
（第４の実施の形態）
図５は本発明の第４の実施の形態に係わる透過光自動調光部材２６の概略構造を示す断面図である。第４の実施の形態における透過光自動調光部材２６は、透明材料基材１２−１、１２−２の間に第１の実施の形態ないし第３の実施の形態のいずれか一の複数個の透過光自動調光セル１１を密接して配列配置したものである。
【００４３】
図５において、複数個の透過光自動調光セル１１ａ〜１１ｇが透明材料基材１２−１、１２−２の間に密接して配列配置されている。図５では第３の実施の形態における透過光自動調光セル１１を配列した場合を示している。複数個の透過光自動調光セル１１ａ〜１１ｆをガラスなどの透明材料基材１２−１、１２−２で固定し封止することで、部分的に光透過量が変化する透過光自動調光部材２６を形成する。
【００４４】
図６は、複数個の透過光自動調光セル１１を格子状に配列して透過光自動調光部材２６を形成した斜視図である。この透過光自動調光部材２６は、複数個の透過光自動調光セル１１ａ〜１１ｆを格子状に配列し板ガラスとした場合の一例である。この一例では、透過光自動調光セル１１が格子状に配置されているが、配置は任意であり、蜂の巣状に配置することも可能であるし、調光性能よりデザインを重視して、任意の図形を構成するようにセルを配置することもできる。このような構成の板ガラスでは、部分的に光透過量が変化する板ガラスを提供できる。
【００４５】
図７は、部分的に光透過量が変化する透過光自動調光部材２６への照射光強度分布と光透過分布の説明図であり、図７（ａ）は照射光強度分布図、図７（ｂ）は光透過率分布図である。図７（ａ）に示すように、透過光自動調光部材２６である板ガラスに照射する光量が符号Ａから符号Ｅへ徐々に光の強度が減少するような一定の光強度ではない場合（ガラスの一部分だけに光があたっている場合など）でも、それに応じて、図７（ｂ）に示すように、符号ａから符号ｅへ徐々に光の透過率が増加するような板ガラスを構成できるため、全面で一様な透過光量を実現する板ガラスを提供することができる。
【００４６】
また、透過光自動調光セル１１は、独立閉回路小型セルであるため大型板ガラスを製作後に、任意の大きさに切断使用しても、切断によって電気的に分断された透過光自動調光セル１１以外は自動調光の機能を発揮するため、板ガラスの製作時に必要とする板ガラスの大きさを設定する必要がなく、かつ、任意の窓枠サイズに応じて、切断使用できるなどの作業上の大きな利点を享受することができる。さらに、曲面を持つ板ガラスなどへの応用も可能である。
【００４７】
第４の実施の形態によれば、複数個の透過光自動調光セルを平面または曲面に連続的に配列し、かつ、電気的に独立して密接して配置し、１つの透過光自動調光部材２６を構成する構造をもつことで、部分的な調光性能を実現することができる。さらに、このように構成された透過光自動調光部材２６は任意の大きさに切断されても、切断されたそれぞれの部材が自動調光性能を発揮できるため、透過光自動調光部材２６の製作後でも任意の大きさに加工できる。
【図面の簡単な説明】
【００４８】
【図１】本発明の第１の実施の形態に係わる透過光自動調光セルの概略構造を示す断面図。
【図２】本発明の第１の実施の形態における透過光自動調光セルへの照射光の強度変化に対する光の透過率の変化と透過光量の変化とを示す特性図。
【図３】本発明の第２の実施の形態に係わる透過光自動調光セルの概略構造を示す断面図。
【図４】本発明の第３の実施の形態に係わる透過光自動調光セルの概略構造を示す断面図。
【図５】本発明の第４の実施の形態に係わる透過光自動調光部材の一例の概略構造を示す断面図。
【図６】本発明の第４の実施の形態に係わる透過光自動調光部材の他の一例の構造図。
【図７】本発明の第４の実施の形態における部分的に光透過量が変化する透過光自動調光部材への照射光強度分布と光透過分布の説明図。
【符号の説明】
【００４９】
１１…透過光自動調光セル、１２−１、１２−２…透明材料基材、１３…光発電素子、１４…エレクトロクロミック素子、１５…電解質溶液、１６ａ…陽電極、１６ｂ…陰電極、１７…電解質、１８ａ…陽電極、１８ｂ…陰電極、１９…電気配線部材、２０…ハーフミラー、２１…液晶素子、２２…偏光部材、２３…液晶材料、２４…エレクトロクロミックミラー素子、２５…光透過型導電部材、２６…電解液
【図１】
2006243485.tif 000003
【図２】
2006243485.tif 000004
【図３】
2006243485.tif 000005
【図４】
2006243485.tif 000006
【図５】
2006243485.tif 000007
【図６】
2006243485.tif 000008
【図７】
2006243485.tif 000009